(57)【要約】【課題】植付部に備える苗載台に畦際から予備苗を連続的に補給すべく走行機体の側方に予備苗載台を設けると共に、該予備苗載台の下方に植付部に備える施肥装置に肥料を供給する肥料タンクを設置した移植機において、予備苗の補給作業を中断することなく肥料タンクに肥料を補充できるようにする。【解決手段】走行機体４の前部側方に肥料タンク２１を装着すると共に、該肥料タンク２１の後方にサイドステップ２２を配設してなる乗用型田植機１において、走行機体４の前方から後部に亘って予備苗Ｎを移送する予備苗載台２３を設けるにあたり、当該予備苗載台２３を、平面視において肥料タンク２１とサイドステップ２２に重合する位置Ａと、肥料タンク２１とサイドステップ２２の外方に突出する位置Ｂとに左右スライドすることで姿勢変更可能に支持した。【選択図】図５
2011024451.tif 000002
【特許請求の範囲】
【請求項１】
走行機体（４）上の操縦部（９）に備える操作パネル（７）の側方から走行機体（４）の後部にかけてフロアステップ（１１）を形成し、走行機体（４）の前部側方に肥料タンク（２１）を装着すると共に、該肥料タンク（２１）の後方にサイドステップ（２２）を配設してなる移植機において、走行機体（４）の前方から後部に亘って予備苗（Ｎ）を移送する予備苗載台（２３）を設けるにあたり、当該予備苗載台（２３）を、平面視において肥料タンク（２１）とサイドステップ（２２）に重合する位置（Ａ）と、肥料タンク（２１）とサイドステップ（２２）の外方に突出する位置（Ｂ）とに左右スライドすることで姿勢変更可能に支持したことを特徴とする移植機。
【請求項２】
走行機体（４）から肥料タンク（２１）の外側方に立設した支持部材（２５ｆ，２５ｒ）に左右スライド位置変更可能に装着した中間予備苗載台（２３ｍ）と、該中間予備苗載台（２３ｍ）に折畳み自在に連結する前後の予備苗載台（２３ｆ，２３ｒ）によって予備苗載台（２３）を構成し、各予備苗載台（２３ｍ，２３ｆ，２３ｒ）を側面視で前高後低の略一直線状に展開した展開姿勢状態（Ｃ）と、前後の予備苗載台（２３ｆ，２３ｒ）を中間予備苗載台（２３ｍ）の上方に折畳んだ格納姿勢状態（Ｄ）とに姿勢変更可能になすと共に、当該中間予備苗載台（２３ｍ）を、平面視において肥料タンク（２１）に重合する位置（Ａ）と、肥料タンク（２１）の外方に突出する位置（Ｂ）とに姿勢変更可能に構成した請求項１に記載の移植機。
【発明の詳細な説明】
【技術分野】
【０００１】
本発明は、走行機体の側部に、畦際から予備苗を連続的に補給するための予備苗載台を走行機体の側方に備える乗用型田植機等の移植機に関する。
【背景技術】
【０００２】
従来、乗用型田植機等の移植機では、走行機体の後方に昇降リンク機構を介して植付部が連結されており、この植付部に備える苗載台に畦際から予備苗（マット苗）を連続的に補給するために走行機体の側方に折畳み式の予備苗載台を設けたものが知られている（例えば、特許文献１参照）。
【０００３】
また、上述の如く走行機体の側方に折畳み式の予備苗載台を設ける場合は、必然的に機体幅が拡大するので移植機の格納スペースを広く取らなければならず、その対策として、当該予備苗載台を、平面視にいて運転席の側方に設けたステップの外側方に位置する張出し姿勢と、前記ステップと重複する格納姿勢とに姿勢切り換え自在に設けたものが知られている（例えば、特許文献２参照）。
【先行技術文献】
【特許文献】
【０００４】
【特許文献１】特開２００５−１７６６８０号公報（第４−５頁、図１、図８）
【特許文献２】特開２００７−３７４５０号公報（第４−６頁、図６−図８）
【発明の概要】
【発明が解決しようとする課題】
【０００５】
そして、上述した特許文献１のものでは、植付部に備える施肥装置にペースト状または液状の肥料を供給する肥料タンクが、折畳み式の予備苗載台の前後方向中間部を構成する固定苗台の下方に設置されており、該固定苗台によって肥料タンク上部の肥料補給口（蓋）が塞がれてしまうので、この肥料補給口の上方に位置する固定苗台の一部を開閉自在に構成して、当該肥料タンクに肥料を補充できるようにしている。しかし、このものでは、予備苗載台上に予備苗が載置された状態では、肥料タンクに肥料を補充することができないので、予備苗の補給作業を中断して予備苗載台上に載置されている予備苗を撤去した後、肥料タンクに肥料を補充しなければならず作業性の面で不具合を有していた。更に、固定苗台に連結する前後の予備苗載台を固定苗台の上方に折畳まないと十分な作業スペースを確保することができないといった欠点も有していた。
【０００６】
また、特許文献１の予備苗載台を特許文献２のように、平面視における予備苗載台を運転席の側方に設けたステップと重複する格納姿勢に切換えるようにすることも考えられるが、その場合は、予備苗載台構成する固定苗台の下方に設置されている肥料タンクへ圃場外から肥料を補充する際の作業スペースは若干広くなるが、移植機のオペレータが当該ステップ上を歩いて移動し難くなるといった欠点を有していた。
【課題を解決するための手段】
【０００７】
本発明は、上記課題を解決することを目的としたものであって、走行機体上の操縦部に備える操作パネルの側方から走行機体の後部にかけてフロアステップを形成し、走行機体の前部側方に肥料タンクを装着すると共に、該肥料タンクの後方にサイドステップを配設してなる移植機において、走行機体の前方から後部に亘って予備苗を移送する予備苗載台を設けるにあたり、当該予備苗載台を、平面視において肥料タンクとサイドステップに重合する位置と、肥料タンクとサイドステップの外方に突出する位置とに左右スライドすることで姿勢変更可能に支持したことを第１の特徴としている。
そして、走行機体から肥料タンクの外側方に立設した支持部材に左右スライド位置変更可能に装着した中間予備苗載台と、該中間予備苗載台に折畳み自在に連結する前後の予備苗載台によって予備苗載台を構成し、各予備苗載台を側面視で前高後低の略一直線状に展開した展開姿勢状態と、前後の予備苗載台を中間予備苗載台の上方に折畳んだ格納姿勢状態とに姿勢変更可能になすと共に、当該中間予備苗載台を、平面視において肥料タンクに重合する位置と、肥料タンクの外方に突出する位置とに姿勢変更可能に構成したことを第２の特徴としている。
【発明の効果】
【０００８】
請求項１の発明によれば、走行機体の前方から後部に亘って予備苗を移送する予備苗載台を設けるにあたり、当該予備苗載台を、平面視において肥料タンクとサイドステップに重合する位置と、肥料タンクとサイドステップの外方に突出する位置とに左右スライドすることで姿勢変更可能に支持したことによって、前記予備苗載台を肥料タンクとサイドステップの外方に突出する位置に姿勢変更した状態では、肥料タンクの後方に配設したサイドステップの上方が開放されると共に、肥料タンク周辺のフロアステップ等の作業スペースが更に広くなるので、肥料タンクに肥料を補充する作業者が楽な姿勢で作業を行なうことができる。また、移植機のオペレータは、サイドステップやフロアステップを容易に歩いて移動することができると共に、予備苗載台上に予備苗を載置した状態で肥料タンクに肥料を補充することができるので作業性が向上する。
そして、請求項２の発明によれば、走行機体から肥料タンクの外側方に立設した支持部材に左右スライド位置変更可能に装着した中間予備苗載台と、該中間予備苗載台に折畳み自在に連結する前後の予備苗載台によって予備苗載台を構成し、各予備苗載台を側面視で前高後低の略一直線状に展開した展開姿勢状態と、前後の予備苗載台を中間予備苗載台の上方に折畳んだ格納姿勢状態とに姿勢変更可能になすと共に、当該中間予備苗載台を、平面視において肥料タンクに重合する位置と、肥料タンクの外方に突出する位置とに姿勢変更可能に構成したことによって、前記予備苗載台は、中間予備苗載台のみが左右スライド位置変更可能に支持され、且つ前後の予備苗載台は中間予備苗載台に折畳み自在に連結されているので、前後の予備苗載台を中間予備苗載台の上方に折畳んだ格納姿勢状態であっても、支持部材に対して中間予備苗載台をスライド移動させるだけで肥料タンクの外方に突出する位置に姿勢変更可能であり、この場合は、肥料タンク及びサイドステップの上方が開放されるので作業スペースが広くなり、肥料タンクに肥料を補充する作業者が楽な姿勢で作業を行なうことができると共に、サイドステップへの作業者の乗降も容易に行える。また、予備苗載台を構成する中間予備苗載台と、該中間予備苗載台に対して折畳み自在に連結する前後の予備苗載台を、側面視で前高後低の略一直線状に展開した展開姿勢状態で肥料タンクの外方に突出する位置に姿勢変更した時は、予備苗の補給作業を中断することなく肥料タンクに肥料を補充することができるので作業性が向上する。
【図面の簡単な説明】
【０００９】
【図１】予備苗載台が展開姿勢状態にある乗用型田植機の側面図。
【図２】乗用型田植機の平面図。
【図３】乗用型田植機の正面図。
【図４】予備苗載台が格納姿勢状態にある乗用型田植機の側面図。
【図５】予備苗載台の一方が外方に突出した姿勢状態にある乗用型田植機の平面図。
【図６】予備苗載台が外方に突出した姿勢状態にある乗用型田植機の正面図。
【発明を実施するための形態】
【００１０】
以下、本発明の実施の形態を図面に基づいて詳細に説明する。
【実施例１】
【００１１】
図１及び図２は、本発明を採用した移植機である乗用型田植機の側面図と平面図であって、乗用型田植機１は、左右の前輪２及び後輪３に支持された走行機体４を有し、該走行機体４の前部には、ボンネット５で覆われた図示しないエンジンを搭載すると共に、ボンネット５の後方には、ステアリングホイール６、運転操作パネル７及び主変速レバー８等を備えた操縦部９と、操作パネル７の側方から走行機体４の後部にかけて操縦部９の床面を形成するフロアステップ１１、及び運転席１２を支持する機体カバー１３等を設けている。尚、機体カバー１３には、運転席１２後方の左右両側に前記フロアステップ１１より一段高く形成した平坦な苗補給用ステップ１３ａ，１３ａを設けているが、これら基本的な構成は何れも従来通りであり詳細な説明を省略する。
【００１２】
そして、走行機体４の後方には、昇降リンク機構１４を介して作業機である植付部１５を昇降自在に連結している。植付部１５は、前高後低上に傾斜して設けられた苗載台１６と、該苗載台１６から苗を掻取って植え付ける複数の植付装置１７を備え、この植付装置１７の下方には、植付け田面を整地するフロート１８等を設けている。
【００１３】
また、走行機体４の前部側方、即ちボンネット５左右両側に設けられたフロントステップ１９の側方には、植付部１５に備える図示しない施肥装置にペースト状または液状の肥料を供給する肥料タンク２１を装着すると共に、この肥料タンク２１の後方にサイドステップ２２を配設している。
【００１４】
そして、図２に示す如く平面視における走行機体４の側方、即ち上述したフロアステップ１１とフロントステップ１９の側方で、且つ肥料タンク２１とサイドステップ２２に重合する位置Ａには、走行機体４の前方から後部に亘って予備苗Ｎを移送する予備苗載台２３を設けている。この予備苗載台２３は、走行機体４から延出して肥料タンク２１の外側方に立設させた前後の支持部材２５ｆ，２５ｒに装着してなる中間予備苗載台２３ｍと、該中間予備苗載台２３ｍに折畳み自在に連結する前後の予備苗載台２３ｆ，２３ｒとからなり、図１に示すように、各予備苗載台２３ｍ，２３ｆ，２３ｒを側面視で前高後低の略一直線状に展開した展開姿勢状態Ｃと、図４に示すように、前後の予備苗載台２３ｆ，２３ｒを中間予備苗載台２３ｍの上方に折畳んだ格納姿勢状態Ｄとに姿勢変更可能に構成している。
【００１５】
尚、上述の如く予備苗載台２３が展開姿勢状態Ｃにある時は、前側の予備苗載台２３ｆが走行機体４の前端から大きく突出すると共に、後側の予備苗載台２３ｒは、植付部１５の苗載台１６の近傍に位置する機体カバー１３の平坦な苗補給用ステップ１３ａ，１３ａ上まで延出されるようになっている。
【００１６】
また、予備苗載台２３は、平面視において、図２に示す如く肥料タンク２１に重合する位置Ａと、図５に示す如く肥料タンク２１の外方に突出する位置Ｂとに姿勢変更できるように構成している。即ち、図３及び図６に示すように、予備苗載台２３を構成する中間予備苗載台２３ｍを装着する前後の支持部材２５ｆ，２５ｒの上部には、中間予備苗載台２３ｍを走行機体４の左右方向にスライド自在に支持するレール機構２７，２７が設けてあり、このレール機構２７，２７によって、中間予備苗載台２３ｍと、該中間予備苗載台２３ｍに折畳み自在に連結する前後の予備苗載台２３ｆ，２３ｒとを、図中ＥまたはＦ矢印方向（左右方向）に一体的にスライドさせることができるように構成している。
【００１７】
以上説明したように、走行機体４上の操縦部９に備える操作パネル７の側方から走行機体４の後部にかけてフロアステップ１１を形成し、走行機体４の前部側方に肥料タンク２１を装着すると共に、該肥料タンク２１の後方にサイドステップ２２を配設してなる乗用型田植機１において、走行機体４の前方から後部に亘って予備苗Ｎを移送する予備苗載台２３を設けるにあたり、当該予備苗載台２３を、平面視において肥料タンク２１とサイドステップ２２に重合する位置Ａと、肥料タンク２１とサイドステップ２２の外方に突出する位置Ｂとに左右スライドすることで姿勢変更可能に支持したことによって、前記予備苗載台２３を肥料タンク２１とサイドステップ２２の外方に突出する位置Ｂに姿勢変更した状態では、肥料タンク２１の後方に配設したサイドステップ２２の上方が開放されると共に、肥料タンク２１周辺のフロアステップ１１等の作業スペースが更に広くなるので、肥料タンク２１に肥料を補充する作業者が楽な姿勢で作業を行なうことができる。また、乗用型田植機１のオペレータは、サイドステップ２２やフロアステップ１１を容易に歩いて移動することができると共に、予備苗載台２３上に予備苗Ｎを載置した状態で肥料タンク２１に肥料を補充することができるので作業性が向上する。
【００１８】
そして、走行機体４から肥料タンク２１の外側方に立設した支持部材２５ｆ，２５ｒに左右スライド位置変更可能に装着した中間予備苗載台２３ｍと、該中間予備苗載台２３ｍに折畳み自在に連結する前後の予備苗載台２３ｆ，２３ｒによって予備苗載台２３を構成し、各予備苗載台２３ｍ，２３ｆ，２３ｒを側面視で前高後低の略一直線状に展開した展開姿勢状態Ｃと、前後の予備苗載台２３ｆ，２３ｒを中間予備苗載台２３ｍの上方に折畳んだ格納姿勢状態Ｄとに姿勢変更可能になすと共に、当該中間予備苗載台２３ｍを、平面視において肥料タンク２１に重合する位置Ａと、肥料タンク２１の外方に突出する位置Ｂとに姿勢変更可能に構成したので、前記予備苗載台２３は、中間予備苗載台２３ｍのみが左右スライド位置変更可能に支持され、且つ前後の予備苗載台２３ｆ，２３ｒは中間予備苗載台２３ｍに折畳み自在に連結されているので、前後の予備苗載台２３ｆ，２３ｒを中間予備苗載台２３ｍの上方に折畳んだ格納姿勢状態Ｄであっても、支持部材２５ｆ，２５ｒに対して中間予備苗載台２３ｍをスライド移動させるだけで肥料タンク２１の外方に突出する位置Ｂに姿勢変更可能であり、この場合は、肥料タンク２１及びサイドステップ２２の上方が開放されるので作業スペースが広くなり、肥料タンク２１に肥料を補充する作業者が楽な姿勢で作業を行なうことができると共に、サイドステップ２２への作業者の乗降も容易に行える。また、予備苗載台２３を構成する中間予備苗載台２３ｍと、該中間予備苗載台２３ｍに対して折畳み自在に連結する前後の予備苗載台２３ｆ，２３ｒを、側面視で前高後低の略一直線状に展開した展開姿勢状態Ｃで肥料タンク２１の外方に突出する位置Ｂに姿勢変更した時は、予備苗Ｎの補給作業を中断することなく肥料タンク２１に肥料を補充することができるので作業性が向上する。
【符号の説明】
【００１９】
４      走行機体
７      操作パネル
９      操縦部
１１    フロアステップ
２１    肥料タンク
２２    サイドステップ
２３    予備苗載台
２３ｍ  中間予備苗載台
２３ｆ  前側の予備苗載台
２３ｒ  後側の予備苗載台
２５ｆ  支持部材（前側）
２５ｒ  支持部材（後側）
Ａ      予備苗載台が平面視で肥料タンクとサイドステップに重合する位置
Ｂ      予備苗載台が平面視で肥料タンクとサイドステップの外方に突出する位置
Ｃ      展開姿勢状態
Ｄ      格納姿勢状態
【図１】
2011024451.tif 000003
【図２】
2011024451.tif 000004
【図３】
2011024451.tif 000005
【図４】
2011024451.tif 000006
【図５】
2011024451.tif 000007
【図６】
2011024451.tif 000008